(57)【要約】      （修正有）【課題】電源を必要とせず、既存の道路標識にも適用可能な道路標識の清掃具の提供。【解決手段】清掃具は、支持体１０と、清掃体３０とからなる。清掃体３０は、風を受ける受け部３４を有し、支持体１０に回転可能に吊り下げられる。支持体１０は軸部を備え、清掃体３０は帯状であって、一端側が幅方向に折り曲げられた折曲部３２となっており、折り曲げ部３２において前記軸部を中心として回転可能に支持され、受け部３４が折曲部３２の下側に位置する。【選択図】図１
2018009352.tif 000002
【特許請求の範囲】
【請求項１】
支持体と、
風を受ける受け部を有し、支持体に回転可能に吊り下げられる清掃体と、を備えることを特徴とする道路標識の清掃具。
【請求項２】
支持体は、軸部を備え
清掃体は、帯状であって、一端側が幅方向に折り曲げられた折曲部となっており、折曲部において軸部を中心として回転可能に軸部に支持され、
受け部は、折曲部の下側に位置し、帯状の清掃体が軸部と直交する方向に湾曲している部分または窪んでいる部分であることを特徴とする請求項１記載の清掃具。
【請求項３】
受け部は、受け部の形状を保つ保持部を備える請求項２記載の清掃具。
【発明の詳細な説明】
【技術分野】
【０００１】
本発明は、道路標識を清掃する清掃具に関する。
【背景技術】
【０００２】
道路標識を清掃するものとして、特許文献１には、鏡面を清掃する電動式ワイパユニットを備える道路鏡の清掃装置が開示されている。
【０００３】
しかしながら、上記清掃装置は、電動式ワイパユニットを作動するために電源を必要とする。また、上記清掃装置は、構成が複雑であり、単体でも非常にコストが高いため、道路の所定の個所に複数設置する場合には総コストが非常に嵩んでしまう。また、上記装置の電動式ワイパユニットは、既存の道路標識に適用できないという問題もある。
【先行技術文献】
【特許文献】
【０００４】
【特許文献１】実開昭６０−０６２５２７号
【発明の概要】
【発明が解決しようとする課題】
【０００５】
本発明は、電源を必要とせず、既存の道路標識にも適用可能な道路標識の清掃具を提供することを目的とする。
【課題を解決するための手段】
【０００６】
道路標識の清掃具は、支持体と、風を受ける受け部を有し、支持体に回転可能に吊り下げられる清掃体と、を備える。
【０００７】
道路標識の清掃具は、支持体が、軸部を備え、清掃体が、帯状であって、一端側が幅方向に折り曲げられた折曲部となっており、折り曲げ部において軸部を中心として回転可能に軸部に支持され、受け部が、折曲部の下側に位置し、帯状の清掃体が軸部と直交する方向に湾曲している部分または窪んでいる部分であるものであってもよい。
【０００８】
道路標識の清掃具は、受け部が、受け部の形状を保つ保持部を備えるものであってもよい。
【発明の効果】
【０００９】
道路標識の清掃具は、特別な電源などを必要とせず、風を利用して道路標識を清掃することができる。また、道路標識の清掃具は、新設の道路標識だけでなく既設の道路標識にも容易かつ短時間で取り付けることができる。さらに、道路標識の清掃具は、構成がシンプルであり、製造が容易で、低コストで提供することができる。
【図面の簡単な説明】
【００１０】
【図１】道路標識の清掃具を示す斜視図である。
【図２】道路標識の清掃具を示す側面図である。
【図３】道路標識の清掃具を識別標の反射板に取り付けた状態を示す斜視図である。
【発明を実施するための形態】
【００１１】
以下、本発明の実施形態の道路標識の清掃具について説明する。図１および図２は、本実施形態の道路標識の清掃具を示す。道路標識の清掃具は、支持体１０と、清掃体３０と、を備えている。
【００１２】
支持体１０は、清掃具を支持するためのものであり、支持体本体１２と、軸部１４と、を備えている。支持体本体１２は、矩形の板であり、合成樹脂で形成されている。支持体本体１２の厚さは、１ｍｍ以下であることが好ましい。支持体１０をこのような厚さとすると、清掃具を道路標識５０に固定した場合に、清掃具がより落下しにくくなり、また清掃具が落下して車両等にぶつかっても車両を傷つける恐れがほとんどなくなる。
【００１３】
軸部１４は、支持体本体１２の一方の面から突出する円柱状のものであり、支持体本体１２とともに合成樹脂で一体的に形成されている。
【００１４】
支持体１０の他方の面には道路標識の清掃具を道路標識５０に固定するために、固定部１６が設けられている。固定部１６としては、両面粘着テープなどを用いることができる。
なお、清掃具は、固定部１６がないものであってもよく、この場合、接着剤などの固定手段により清掃具を道路標識５０に固定してもよい。
【００１５】
清掃体３０は、道路標識５０を清掃するものであり、帯状の布により構成されている。清掃体３０の布は、例えば織物、編み物または不織布などを用いることができ、特に経編されたものを用いると、清掃体３０の縁がほつれ難くなる。
清掃体３０は、上端側がその幅方向（横方向）に折り曲げられた折曲部３２となっており、折曲部３２に設けられた貫通孔に軸部１４が通されている。このような構成により、清掃体３０は、軸部１４を中心として回転可能に軸部１４に支持される。清掃体３０を支持した軸部１４には、清掃体３０を脱落させないようにするためキャップ１８が被されている。
清掃体３０は、風を受ける受け部３４を有している。受け部３４は、清掃体３０のうち、折曲部３２の下側に位置し、軸部１４と直交する方向に湾曲した形状、言い換えれば横断面が湾曲した形状となっている。受け部３４と折曲部３２は一体的に形成されており、この受け部の湾曲した形状は、清掃体３０を折曲部３２において軸部１４で軸支させることにより、折曲部３２の下側に形成される。
なお、受け部３４は、湾曲した形状ではなく軸部１４と直交する方向に窪んでいるものであってもよい。また、受け部３４は折曲部３２と一体的に形成されたものでなくてもよい。
【００１６】
受け部３４には、受け部３４の形状を保持するために、保持部３６が備えられている。保持部３６は、受け部３４の湾曲した内面の幅方向の略中央において、長手方向に沿って設けられている。保持部３６としては、合成樹脂や接着剤を用いることができる。
【００１７】
なお、清掃体３０は、軸部１４の代わりに紐など別のもので回転可能に支持してもよい。また、保持部３６は、受け部３４の湾曲した外面に設けてもよいし、幅方向の中央以外の場所に設けてもよく、受け部３４の形状を保持できるものであればどのようなものであってもよい。
【００１８】
道路標識の清掃具は、識別標の反射板、道路鏡、指示標識および信号灯などの道路標識５０に、その中心付近に支持体１０が位置するように固定部１６で固定して使用する。その一例として、図３は、道路標識の清掃具を識別標の反射板５２に取り付けた状態を示す。
道路標識５０に取り付けられた道路標識の清掃具の清掃体３０は、道路標識側の部分が道路標識５０に接する。道路標識５０に取り付けられた道路標識の清掃具は、清掃体３０の受け部３４で気象条件または車両通過により生じた風を受けることにより、清掃体３０が道路標識５０に接しながら軸部１４を中心として回転し、道路標識５０の汚れを拭き払う。
【００１９】
道路標識の清掃具は、特別な電源などを必要とせず、風を利用して道路標識を清掃することができる。また、道路標識の清掃具は、新設の道路標識だけでなく既設の道路標識にも容易かつ短時間で取り付けることができる。さらに、道路標識の清掃具は、構成がシンプルであり、製造が容易で、低コストで提供することができる。
【００２０】
道路標識の清掃具は、清掃体３０の長さが２００ｍｍ以下の場合、受け部３４が無いと清掃体３０が回転し難いまたは回転しないので、清掃体３０の長さ、言い換えれば道路標識の中心から外縁までの長さが２００ｍｍ以下の場合に特に適している。
【００２１】
道路標識の清掃具は、清掃体３０を帯状とし、折曲部３２を軸部１４で軸支することにより、受け部３４が清掃体３０のうち折曲部３２の下側において折曲部３２と一体的に形成することができるので、道路標識の清掃具をより一層、容易かつ低コストで製造することができる。
【００２２】
道路標識の清掃具は、支持体１０を合成樹脂などの軽量の素材で形成し、清掃体３０を布で形成することにより、より標識から落下しにくくなり、また仮に落下して車両に当たっても車両を傷つけ難くなる。
【００２３】
道路標識の清掃具は、保持部３６を備えることにより、受け部３４の形状を保持することができるので、受け部３４は確実に風を受けることができ、受け部３４が変形して風を受け難くなるという恐れがない。
【００２４】
本発明の道路標識の清掃具は、上記実施形態に特に限定されるものではなく、本発明の要旨の範囲内において適宜変更することができる。
【符号の説明】
【００２５】
１０    支持体
１２    支持体本体
１４    軸部
１６    固定部
１８    キャップ
３０    清掃体
３２    折曲部
３４    受け部
３６    保持部
５０    道路標識
５２    反射板
【図１】
2018009352.tif 000003
【図２】
2018009352.tif 000004
【図３】
2018009352.tif 000005